(57)【要約】【課題】  本発明の目的は、より操作性の良いインパクト工具を提供することにある。【課題を解決するための手段】  パルス的な衝撃トルクを発生させるインパクト機構部と、該インパクト機構部を覆うカバーと、該インパクト機構部を駆動させるモータと、該インパクト機構部と該モータ間に配置した減速機構部と、を備えたインパクト工具において、該カバーの外表面に突起を設け、該突起が該カバーの全周に均等にすくなくとも５個以上は配置されており、該突起は周方向に比べて軸方向に長くなるように構成する。【選択図】図７
2006102925.tif 000002
【特許請求の範囲】
【請求項１】
パルス的な衝撃トルクを発生させるインパクト機構部と、
該インパクト機構部を覆うカバーと、
該インパクト機構部を駆動させるモータと、
該インパクト機構部と該モータ間に配置した減速機構部と、
を備えたインパクト工具において、
該カバーの外表面に突起を設け、該突起が該カバーの全周に均等にすくなくとも５個以上は配置されており、該突起は周方向に比べて軸方向に長いことを特徴とする電動工具。
【請求項２】
該突起は、第１の辺が大きなＲもしくは直線で構成されており、該第１の辺に対して軸と対象な位置にある第２の辺は、三角形の二つの短辺から構成されていることを特徴とする請求項１記載の電動工具。
【請求項３】
該短辺間の頂点が軸方向の長さに対して半分よりもモータ側に位置することを特徴とする請求項２記載の電動工具。
【発明の詳細な説明】
【技術分野】
【０００１】
本発明は、電動工具の操作性を向上させる技術に関するものであり、特にカバーを備えた電動工具に関するものである。
【背景技術】
【０００２】
図１に示されるような従来のインパクト工具には、インパクト機構部を保護するハンマケース２が設けられている。近年図２に示すようなカバー２５を設けたインパクト工具が多く見うけられる。このようなカバー２５はハンマケース２による相手部材へのこすれ傷を防止したり、インパクト本体が不注意で落下させた場合のクッションの役目を果たしたり、さらにはハンマケース２からの熱伝達を防止することができるため、作業者が慎重な作業をするためにハンマケース２部分を握るような場合に、作業者への火傷防止に役立っている。
【０００３】
また図３に示すように、大きなボルト（Ｍ１６〜）を締め付けるために、大型（全長２５０ｍｍ〜、本体重量２．５ｋｇ〜）でしかも大きなトルク（２５０Ｎ・ｍ〜）を発生するインパクトレンチ３０においては、片手でスイッチ３１を引き、もう片方の手でカバー４０を持つ場合が多く、カバー４０の材質にはゴムを用いている。さらに図４に示すようにカバー４０の両脇には数本の直線状突起４１を設けてすべり止め施し、作業性を向上させている。
【０００４】
【特許文献１】特開２００３−２４５８６５号公報
【発明の開示】
【発明が解決しようとする課題】
【０００５】
図５に示すように、前記従来のインパクト工具のカバー４０を握る場合、手がカバー４０に接触する主要な場所としては親指部４２、その他の指部４３及び手のひら部４４の主にこの３箇所である。
【０００６】
そこで、カバー４０に数本の直線状突起４１を設けてすべり止めを行っているが、図５に示すような手角度の状態では、親指部４２とその他の指部４３の位置に突起４１が配置されているため、突起４１がすべり止めの効果を発揮する。しかし、図６に示すような状態では、親指部４２とその他の指部４３の位置に突起４１が配置されてないため、突起４１がすべり止めの効果を発揮することができないという問題がある。
【０００７】
本発明の目的は、より操作性の良いインパクト工具を提供することにある。
【課題を解決するための手段】
【０００８】
パルス的な衝撃トルクを発生させるインパクト機構部と、該インパクト機構部を覆うカバーと、該インパクト機構部を駆動させるモータと、該インパクト機構部と該モータ間に配置した減速機構部と、を備えたインパクト工具において、該カバーの外表面に突起を設け、該突起が該カバーの全周に均等にすくなくとも５個以上は配置されており、該突起は周方向に比べて軸方向に長くなるように構成する。
【０００９】
より好ましくは、該突起は、第１の辺が大きなＲもしくは直線で構成されており、該第１の辺に対して軸と対象な位置にある第２の辺は、三角形の二つの短辺から構成する。
【００１０】
さらに好ましくは、該短辺間の頂点が軸方向の長さに対して半分よりもモータ側に位置するように構成する。
【発明の効果】
【００１１】
請求項１に記載の構成によれば、カバーを把持する手の角度・位置に関わらず、突起が滑り止めとして作用する。従って、操作性の良い電動工具を提供することができる。
【００１２】
請求項２記載の構成によれば、第１の辺にかかった指はスムーズに辺上を動くことができ、第２の辺にかかった指は頂点がひっかかりとなることで辺上を動きにくくなる。これにより、電動工具を相手材に合わせて位置決めする時に作業しやすくなる。従って、操作性の良い電動工具を提供することができる。
【００１３】
請求項３記載の構成によれば、人差し指、中指、薬指が反モータ側の短辺に、小指がモータ側の短辺にかかりる。力の強い人差し指、中指、薬指が揃うことによって把持力が増し、力の弱い小指が頂点に引っ掛かることで軸方向の位置がずれにくくなる。従って、操作性の良い電動工具を提供することができる。
【発明を実施するための最良の形態】
【００１４】
以下実施例図面を参照して本発明を説明する。
【００１５】
図７に本発明のカバー５０を示す。カバー５０には突起５１が円周方向に均等に１２個配置されており、突起５１は軸方向に長く円周方向に短い形状で、突起５１の軸方向に対して第１の辺である右辺５２は大きなＲを形成している。第１の辺に対して軸と対象な位置にある第２の辺である左辺５３は、三角形の二つの短辺５３ａと５３ｂから構成されおり、その短辺間の頂点５３ｃが軸方向の長さに対して半分よりも手前（図では左方向）に位置している。短辺５３ａよりも５３ｂの方が短い。
【００１６】
図８に示すように、右辺５２の突起部５４は親指により引っ掛かることですべり止めの効果を発揮され、一方の人差し指は５５、中指は５６、薬指は５７において右辺５３ａの突起部に引っ掛かり、小指は５８において右辺の５３ｂに形状良く引っ掛かるため、すべり止めの効果を発揮しやすい。人差し指から小指にかけての４本は、カバー５０を握っている時は比較的固定しているが、インパクト工具本体を微少に動かしてボルトに位置合わせするために、親指側は微少に移動しやすいように突起５１の右辺５２は滑らかなＲか直線で構成されている。
【００１７】
さらに図９及び図10に示すように、突起５１をカバー５０の全周に配置しているため、手の握り角度位置に関わらず、すべり止めの効力を有効に使用することが可能である。
【００１８】
なお図11に示すように、小さなサイズのカバー６０においても図７と同様の突起６１を施すことで、すべり止めの効果を発揮することが可能で、さらに左利き用は６０で、突起の右辺と左辺を入れかえることで、右利き用６２に変更することも可能である。
【図面の簡単な説明】
【００１９】
【図１】特許文献１における従来インパクト工具の外観図である。
【図２】特許文献１における従来のカバーを施したインパクト工具の外観図である。
【図３】従来の他のインパクト工具の外観図である。
【図４】従来の他のインパクト工具のカバー外観図である。
【図５】従来の他のインパクト工具のカバーへの下からの握り様子図である。
【図６】従来の他のインパクト工具のカバーへの横からの握り様子図である。
【図７】本発明のインパクト工具のカバー外観図である。
【図８】本発明のインパクト工具のカバーへの指握り部を図示した図である。
【図９】本発明のインパクト工具のカバーへの下からの握り様子図である。
【図１０】本発明のインパクト工具のカバーへの横からの握り様子図である。
【図１１】本発明のインパクト工具の他の実施例であるカバー外観図である。
【図１２】本発明のインパクト工具の他の実施例であるカバー外観図である。
【符号の説明】
【００２０】
１はハウジング，２はハンマケース，２５はカバー，４０はカバー，４１は直線状突起，５０はカバー，５１は突起，５２は第１の辺、５３は第２の辺，６０はカバー，６１は突起、６２はカバー，６３は突起である。
【図１】
2006102925.tif 000003
【図２】
2006102925.tif 000004
【図３】
2006102925.tif 000005
【図４】
2006102925.tif 000006
【図５】
2006102925.tif 000007
【図６】
2006102925.tif 000008
【図７】
2006102925.tif 000009
【図８】
2006102925.tif 000010
【図９】
2006102925.tif 000011
【図１０】
2006102925.tif 000012
【図１１】
2006102925.tif 000013
【図１２】
2006102925.tif 000014